【事件の表示】
　特願２００１−３７０３５３「音声認識装置及びその方法、プログラム」拒絶査定不服審判事件〔平成１５年　６月１３日出願公開、特開２００３−１６７５９８、請求項の数（７）〕について、次のとおり審決する。
【結　論】
　原査定を取り消す。
　本願の発明は、特許すべきものとする。
【理　由】
１．経緯 
（１）手続 
　本願は、平成１３年１２月４日の出願である。
　本件は、本願についてされた拒絶査定（平成１６年７月９日付け）を不服とする平成１６年８月１６日の請求である。
（２）査定 
　原査定の理由は、概略、下記のとおりである。 
　　　　　　記（査定の理由） 
　請求項１から請求項７までに係る発明は、下記刊行物に記載された各発明に基づいて当業者が容易に発明をすることができたものであるから、特許法第２９条第２項の規定により、特許を受けることができない。 
　　　　　　記 
　刊行物１：特開２００１−２９６９９１号公報 
　刊行物２：特開平１０−２０７６８５号公報 
　刊行物３：特開２００１−４２８９０号公報（査定で引用） 
 　 
２．本願発明 
　本願の請求項１から請求項７までに係る発明（本願各発明という。）は、本願明細書（平成１６年５月１３日付け手続補正書により補正された明細書及び図面）の記載からみて、その特許請求の範囲の請求項１から請求項７までに記載した事項により特定される次のとおりのものと認める。
　　　　　記（特許請求の範囲） 
　【請求項１】　入力された音声を認識し、その音声認識結果に基づいて処理を実行する音声認識装置であって、
　複数の選択肢からなる選択欄を表示するための記述と、該選択欄中の選択肢の音声入力による選択を受け付けるための記述を含むハイパーテキスト文書を読み込む読込手段と、
　前記読込手段で読み込んだハイパーテキスト文書中の前記選択欄を表示するための記述に基づいて選択欄を表示する表示手段と、
　前記表示手段で表示された複数の前記選択欄のいずれかの選択欄への指示がなされた場合に、該指示がなされた前記ハイパーテキスト文書中の前記選択欄中の選択肢に関する記述に基づいて音声認識文法を生成する生成手段と、
　前記生成手段で生成された音声認識文法に基づいて、前記入力された音声の音声認識を実行する音声認識手段と、
　前記音声認識手段の音声認識結果に基づいて、前記選択欄中の選択肢の選択を確定する確定手段と
　を備えることを特徴とする音声認識装置。
　【請求項２】　前記確定手段は、前記音声認識手段の音声認識結果に基づいて、前記選択欄中の１つの選択肢の選択を確定する
　ことを特徴とする請求項１に記載の音声認識装置。
　【請求項３】　前記確定手段は、前記音声認識手段の音声認識結果に基づいて、前記選択欄中の複数の選択肢の選択を確定する
　ことを特徴とする請求項１に記載の音声認識装置。
　【請求項４】　前記音声認識手段は、前記解析手段の解析が完了した後、前記音声認識を開始する
　ことを特徴とする請求項１に記載の音声認識装置。
　【請求項５】　前記音声認識手段は、前記選択欄への指示がなされた場合に前記音声認識を開始し、該選択欄への指示が取り消された場合に該音声認識を終了する
　ことを特徴とする請求項１に記載の音声認識装置。
　【請求項６】　入力された音声を認識し、その音声認識結果に基づいて処理を実行する音声認識方法であって、
　複数の選択肢からなる選択欄を表示するための記述と、該選択欄中の選択肢の音声入力による選択を受け付けるための記述を含むハイパーテキスト文書を読み込む読込工程と、
　前記読込工程で読み込んだハイパーテキスト文書中の前記選択欄を表示するための記述に基づいて選択欄を表示する表示工程と、
　前記表示工程で表示された複数の前記選択欄のいずれかの選択欄への指示がなされた場合に、該指示がなされた前記ハイパーテキスト文書中の前記選択欄中の選択肢に関する記述に基づいて、音声認識文法を生成する生成工程と、
　前記生成工程で生成された音声認識文法に基づいて、前記入力された音声の音声認識を実行する音声認識工程と、
　前記音声認識工程の音声認識結果に基づいて、前記選択欄中の選択肢の選択を確定する確定工程と
　を備えることを特徴とする音声認識方法。
　【請求項７】　入力された音声を認識し、その音声認識結果に基づいて処理を実行する音声認識をコンピュータに機能させるためのプログラムであって、
　複数の選択肢からなる選択欄を表示するための記述と、該選択欄中の選択肢の音声入力による選択を受け付けるための記述を含むハイパーテキスト文書を読み込む読込工程のプログラムコードと、
　前記読込工程で読み込んだハイパーテキスト文書中の前記選択欄を表示するための記述に基づいて選択欄を表示する表示工程のプログラムコードと、
　前記表示工程で表示された複数の前記選択欄へのいずれかの選択欄への指示がなされた場合に、該指示がなされた前記ハイパーテキスト文書中の前記選択欄中の選択肢に関する記述に基づいて、音声認識文法を生成する生成工程のプログラムコードと、
　前記生成工程で生成された音声認識文法に基づいて、前記入力された音声の音声認識を実行する音声認識工程のプログラムコードと、
　前記音声認識手段の音声認識結果に基づいて、前記選択欄中の選択肢の選択を確定する確定工程のプログラムコードと
　を備えることを特徴とするプログラム。
 　 
３．当審の判断 
（１）本願各発明について
　（ａ）主要構成
　査定で引用された各刊行物のいずれにも、本願各発明が備える下記の主要構成は記載されていない。また、各刊行物を組み合わせても、同主要構成を導くことはできない。
　　　　　　記（本願各発明が備える主要構成）
　複数の選択欄へのいずれかの選択欄への指示がなされた場合に、指示がなされたハイパーテキスト文書中の選択欄中の選択肢に関する記述に基づいて音声認識文法を生成すること。
　（ｂ）そして、本願各発明は、上記主要構成を備えることにより、「ハイパーテキスト文書における選択欄表示において、選択欄中の選択肢からユーザが選択する場合、ポインティングデバイス等による選択のみならず、音声認識による選択が可能になる。また、その音声認識よる選択に対する音声認識文法を自動生成するため、選択欄中の選択肢に表示される語彙を音声認識文法に事前に登録する必要がなくなる。」（本願明細書の段落0036）に加えて「画面上に表示される任意の選択肢の選択を容易にかつ柔軟に音声入力で実現することができる音声認識装置及びその方法、プログラムを提供できる。」（本願明細書の段落0049）等の明細書に記載の顕著な作用効果を奏するものと認められる。
　（ｃ）以上によれば、本願各発明は、いずれも、上記各刊行物に記載された発明に基づいて当業者が容易に発明をすることができたものであるとすることはできない。
　
（２）引用刊行物の記載 
　各刊行物の記載について見ておく。 
　（ａ）刊行物１（特開２００１−２９６９９１号公報）
　（ａ１）刊行物１には、「データ処理装置、データ処理方法、記録媒体」に関し、図面と共に次に掲げる事項が記載されている。
　　「ブラウザ上で表示されたWebページのテキスト入力フォームや選択メニュー上で、音声入力における複数の認識候補を表示可能なデータ処理装置、データ処理方法、及び、記録媒体を提供することにある。」（段落0006）
　　「一方、ステップＳ３０４では、現在対象としている入力フォーム（予め設定された項目である選択候補から１つを選択するタイプの入力フォーム）において、予め設定された項目である選択候補中で、認識候補２０２と一致する選択候補が表示される優先順位を高くするように記述を変換する。例えば、予め設定された項目である選択候補中、認識候補と一致する選択候補を最上位に並ベ、それ以外の選択候補を下位に並ベる方法がある。なお、ここでは、予め設定された項目である選択候補以外の語が認識候補として得られることはないものとして説明した。認識候補として、音声認識の確からしさを示す尤度の高い順に複数得られる場合には、尤度が高い候補が表示される優先順位を高くするように記述を変更する。例えば、尤度が高いものほど選択候補の上位に並ベる方法がある。」（段落0039）
　（ａ２）上記記載によれば、刊行物１には、ブラウザ上で表示されたWebページの選択メニュー上で、音声入力における複数の認識候補を表示可能とし、予め設定された項目である選択候補中で、認識候補２０２と一致する選択候補が表示される優先順位を高くするように記述を変換して表示することが記載されている。
　ブラウザ上で表示されたWebページの選択メニューを表示可能とする点では本願各発明と類似しているが、本願各発明のように、「ハイパーテキスト文書中の選択欄中の選択肢に関する記述に基づいて音声認識文法を生成する」ことについては記載がない。
　（ｂ）刊行物２（特開平１０−２０７６８５号公報）
　（ｂ１）刊行物２には、「ハイパーリンク化された情報との音声化されたインターフェースのためのシステムおよび方法」に関し、図面と共に次に掲げる事項が記載されている。
　　「任意のＨＴＭＬページのテキストが音声の形式に変換され、そのテキストのハイパーリンク語は他のテキストとは区別される音声とされる。ユーザは、関連する追加の情報が必要であるポイントを表すハイパーリンク語を繰り返す（すなわち、発声する）ことによって、この音声化された情報システムと対話(Interactive) し、自動音声認識システムは、そのユーザによって与えられたハイパーリンク語の発声を認識する。そのような与えられたハイパーリンク語の認識に応動して、その与えられたハイパーリンク語に対応する情報層へのジャンプが行われ、その後に、その新しい情報層のテキストが音声の形式に変換される。」（段落0014）
　　「相関付けられたハイパーテキストおよび音素のシーケンスがウィンドウ・フィルタ３２０に提示され、ウィンドウ・フィルタ３２０は、任意の時刻までにユーザに対して再生されたどのハイパーリンク語／フレーズが音声認識装置の語彙（システムのアクション語と共に）を形成するかを識別する。このウィンドウ・フィルタ３３０は、過去のある期間（例えば、秒数または語数で測定することができる）における最近再生されたハイパーテキストとそれ以前の全てのハイパーテキストを選択する。ウィンドウ・フィルタ３３０は、ユーザに最近再生された語に関する同期情報を、通信リンク３１８を経由して音素−音声変換プロセッサ３１７から受信する。そのウィンドウ・フィルタ・プロセスの結果、即ち任意のウィンドウの持続期間内で発生したハイパーリンク語又はフレーズのシーケンスが、そのような音声の音素モデル（通常は別個に訓練された隠れマルコフモデル（Hidden Markov Models） として実行される）とともにデータベース３４０に格納される。当然、データベース３４０は、システム・アクション語の音素モデルも含んでいる。」（段落0030）
　　「ウィンドウ・フィルタ３３０は、所定の時間ウィンドウで発音されたすべてのハイパーリンク語を等しい確率でその音声認識装置の語彙の中に受け入れる、平坦な重み付けとすることができる。代わりに、ウィンドウ・フィルタは、最近発音されたハイパーリンク語を、以前に認識ウィンドウで発音された語より高い確率でその音声認識装置の語彙の中に受け入れる、時間で定義された「コンテキスト的なスムージング」（contextual smoothing）を提供することもできる。」（段落0031）
　（ｂ２）上記記載によれば、刊行物２には、ユーザによって与えられたハイパーリンク語の発声を認識し、そのようなハイパーリンク語の認識に応動して、その与えられたハイパーリンク語に対応する情報層へのジャンプを行うものであり、そして、そのような音声認識の態様として、任意のウィンドウの持続期間内で発生したハイパーリンク語又はフレーズのシーケンスが、そのような音声の音素モデルとともにデータベース３４０に格納されること、また、最近発音されたハイパーリンク語を、以前に認識ウィンドウで発音された語より高い確率でその音声認識装置の語彙の中に受け入れることが、それぞれ記載されている。
　しかし、発音されたハイパーリンク語（音声）の音素モデルをデータベース３４０に格納し音声認識装置の語彙を形成するとの記載に止まり、本願各発明のように、「ハイパーテキスト文書中の選択欄中の選択肢に関する記述に基づいて音声認識文法を生成する」ことについては記載がない。
　（ｃ）刊行物３（特開２００１−４２８９０号公報）
　（ｃ１）刊行物３には、「音声認識装置」に関し、図面と共に次に掲げる事項が記載されている。
　　「図２は、本実施の形態にかかる音声認識装置の構成を示す機能ブロック図であり、３１は認識されるべき語句（数を含む）と各語句に対して定義された(関連づけられた)認識コードからなる音声認識リソース、３２は音声入力部１７からの出力に基づいて、入力した音声に対応する語句を認識し（音声認識手段）、その語句に対応する認識コードを音声認識リソース３１から抽出して出力する音声認識部、３３は音声認識部３２からの認識コードに基づいて表示部２１の入力欄（データ入力欄）に表示を行うとともにその入力欄のデータとして入力し、そのデータに基づいて商品名、商品の単価の登録などを行い、印字部１５によりラベルの発行などを行うアプリケーションプログラム部である。上記音声認識リソース３１は、各入力欄に入力するデータの種類ごとに設けられ、それぞれ各入力欄に関連づけられている。各音声認識リソース３１には、該当する種類のデータについての予め認識されるべき語句とその語句に関係づけられた認識コードがそれぞれ記憶されている。」（段落0017）
　　「このような構成の本発明の実施の形態においては、例えばラベルに印刷する商品名を各種類ごとに音声入力する場合、表示部に図６に示すような画面が表示される。各入力欄４２に並べてボタン４３を配置し、各ボタン４３上には各入力欄４２に入力する商品名（魚類、野菜類、肉類・・・）を表示してある。
　例えば、魚類の商品名の入力欄４２に音声入力を行う場合は、魚類のボタン４３を押すと、魚類の音声認識リソースが音声認識リソースが選択されて音声入力状態になる。そして、その魚類のボタン４３を押しながら、マイク１８に向けて「ぶり」と発声すると、音声認識されて、魚類の入力欄４２のデータとして「ぶり」が入力され、入力欄４２に「ぶり」が表示される。その後、ボタン４３を離すと、音声入力状態が終了し、印字部１５により「ぶり」と印字されたラベルが発行される。」（段落0028、段落0029）
　　「ボタン４３の操作により入力欄４２ごとに関連づけられた音声認識リソースを切替えることができるので、認識率が向上するとともに、音声認識部の処理量を軽減でき、検出時間を短縮できる。」（段落0032）
　（ｃ２）上記記載によれば、刊行物３には、表示部に各入力欄４２とこの入力欄４２に関連づけられたボタン４３を表示し、そのボタン４３が押下している間は音声入力状態にしてマイク１８から入力した音声の認識を行ってその結果をその入力欄４２のデータとして入力すること、また、入力欄４２ごとに関連づけられた音声認識リソースを切替えることが、それぞれ記載されている。
　本願各発明にいう「選択欄への指示（がなされた場合に、）」に対応する記載（入力欄４２に関連づけられたボタン４３の押下）はあるものの、その指示（押下）はデータを入力する欄を指定することを意図したものであり、本願各発明のように「音声認識文法を生成する」欄を指定することを意図したものではない。また、音声認識手段３２と音声認識リソース３１により音声認識を行うところ、音声認識の語句は「予め」（段落0017の末文）定められたものであり、入力欄４２の指定動作とは直接の関係はない。したがって、本願各発明のように「選択欄への指示がなされた場合に、・・・音声認識文法を生成する」ものでも「ハイパーテキスト文書中の選択欄中の選択肢に関する記述に基づいて音声認識文法を生成する」ものでもない。
　また、入力欄４２の表示は、マイクからの入力音声を音声認識した結果に基づくものであり、本願各発明のように「ハイパーテキスト文書中の選択欄を表示するための記述」に基づくものではない。
　（ｄ）刊行物の組合せ
　刊行物３に、音声認識文法を生成すること、ハイパーテキスト文書との関連について記載がない以上、刊行物１および刊行物２と組み合わせることもできない。
　
４．むすび 
　以上、本願の請求項１から請求項７までに係る発明は、上記各刊行物に記載された発明に基づいて当業者が容易に発明をすることができたものである、という原査定の理由によっては本願を拒絶することはできない。 
　また、他に本願を拒絶すべき理由を発見しない。 
　よって、結論のとおり審決する。